(57)【要約】【課題】  雷発生などの非常時でも調整池ダムの水位を自動で適正に制御することが可能な調整池ダム水位制御システムを提供する。【解決手段】  調整池ダム５０の上流側の気象条件および水理条件が入力される条件入力手段１０と、条件入力手段１０に入力された条件に基づき調整池ダム５０における予め設定された複数の水位制御範囲のうち特定の水位制御範囲を選択する水位切替条件判定手段２０と、水位切替条件判定手段２０によって選択された特定の水位制御範囲に基づき調整池ダム５０の水位が特定の水位制御範囲となるように発電機４６側から調整池ダム５０に流入する水Ｗ１の量と取水ゲート５１を介して下流側に放流する水Ｗ３の量とを制御する水位切替指令手段３０と、を備える。【選択図】  図２
2012082646.tif 000002
【特許請求の範囲】
【請求項１】
上流に位置する発電機側から調整池ダムに流入する水の量と該調整池ダムに貯留された水を取水ゲートを介して下流側に放流する水の量とを調整し、前記調整池ダムの水位を制御する調整池ダム水位制御システムであって、
前記調整池ダムの上流側の気象条件および水理条件が入力される条件入力手段と、
前記条件入力手段に入力された条件に基づき前記調整池ダムにおける予め設定された複数の水位制御範囲のうち特定の水位制御範囲を選択する水位切替条件判定手段と、
前記水位切替条件判定手段によって選択された特定の水位制御範囲に基づき前記調整池ダムの水位が特定の水位制御範囲となるように前記発電機側から前記調整池ダムに流入する水の量と前記取水ゲートを介して下流側に放流する水の量を制御する水位切替指令手段と、
を備えたことを特徴とする調整池ダム水位制御システム。
【請求項２】
前記水位切替指令手段には、選択により前記水位切替条件判定手段に代えて手動操作部からの指令情報が入力可能であることを特徴とする請求項１に記載の調整池ダム水位制御システム。
【発明の詳細な説明】
【技術分野】
【０００１】
この発明は、水力発電における調整池ダムの水位制御システムに関し、とくに雷発生などの非常時でも調整池ダムの水位を自動で適正に制御することが可能な調整池ダム水位制御システムに関する。
【背景技術】
【０００２】
水力発電においては、調整池ダムの上流に位置する発電機側から調整池ダムに流入する水の量と、調整池ダムに貯留された水を取水ゲートを介して下流側に放流する水の量とを調整することにより、調整池ダムの水位を適正に保つ必要がある。つまり、調整池ダムにおいては、水位が調整池ダムを越えることがあってはならず、また水位が過度に低水位になるのを回避することが必要であり、上流側からの流入量と下流側への放水量とのバランスをとる必要がある。調整池ダムにおいては、通常は夜間に水を溜めて昼間に下流側に放流しており、これらの操作は運転員による手動操作によって行われている。
【０００３】
従来からダムの水位を制御する技術として電力系統監視制御装置が知られている（例えば、特許文献１参照。）。この電力系統監視制御装置においては、将来の水系状態の予測内容を表示手段によって表示し、運転員は表示内容に基づき合理的に水系を運用することが可能となっている。
【先行技術文献】
【特許文献】
【０００４】
【特許文献１】特開平９−１９１９４号公報
【発明の概要】
【発明が解決しようとする課題】
【０００５】
しかし、雷の発生時には、調整池ダムの水位を監視する運転員は、落雷によって多発する電気事故に対応するとともに、雷雨によって調整池ダムに流入する水の急激な増加にも対応しなければならず、運転員による調整池ダムの水位調整に対する操作が遅れ、調整池ダムの水位を適切な範囲に維持することが困難になる可能性がある。特許文献１の電力系統監視制御装置では、運転員は表示内容を確認してから水位調整の操作を行う必要があり、雷発生などの非常時には対応に遅れが生じるという問題がある。したがって、雷発生などの非常時においても、調整池ダムにおける水位を自動で適正な範囲に制御するシステムの開発が望まれる。
【０００６】
そこで本発明は、雷発生などの非常時でも調整池ダムの水位を自動で適正に制御することが可能な調整池ダム水位制御システムを提供することを目的とする。
【課題を解決するための手段】
【０００７】
上記目的を達成するために請求項１に記載の発明は、上流に位置する発電機側から調整池ダムに流入する水の量と該調整池ダムに貯留された水を取水ゲートを介して下流側に放流する水の量とを調整し、前記調整池ダムの水位を制御する調整池ダム水位制御システムであって、前記調整池ダムの上流側の気象条件および水理条件が入力される条件入力手段と、前記条件入力手段に入力された条件に基づき前記調整池ダムにおける予め設定された複数の水位制御範囲のうち特定の水位制御範囲を選択する水位切替条件判定手段と、前記水位切替条件判定手段によって選択された特定の水位制御範囲に基づき前記調整池ダムの水位が特定の水位制御範囲となるように前記発電機側から前記調整池ダムに流入する水の量と前記取水ゲートを介して下流側に放流する水の量を制御する水位切替指令手段と、を備えたことを特徴とする調整池ダム水位制御システムである。
【０００８】
この発明によれば、条件入力手段からの気象条件および水理条件に基づき、調整池ダムにおける予め設定された複数の水位制御範囲のうち特定の水位制御範囲が水位切替条件判定手段によって選択される。そして、水位切替条件判定手段によって選択された特定の水位制御範囲に基づき、調整池ダムの水位が特定の水位制御範囲となるように発電機側から調整池ダムに流入する水の量と取水ゲートを介して下流側に放流する水の量とが水位切替指令手段によって制御される。
【０００９】
請求項２に記載の発明は、請求項１に記載の調整池ダム水位制御システムにおいて、前記水位切替指令手段には、選択により前記水位切替条件判定手段に代えて手動操作部からの指令情報が入力可能であることを特徴としている。
【発明の効果】
【００１０】
請求項１に記載の発明によれば、条件入力手段に入力された気象条件および水理条件に基づき、調整池ダムにおける予め設定された複数の水位範囲のうち特定の水位範囲を選択するようにしているので、調整池ダムの水位を入力条件に応じて適正に制御することができる。これにより、調整池ダムに貯留されている水の調整池ダムからの越流を防止することができ、越流による溢水電力（電力ロス）を防止することができる。また、越流に伴う調整池ダムからの誤放流を防止することができ、調整池ダムの下流側への予期しない放流を回避することができる。さらに、調整池ダムの水位制御は自動で行われるので、従来に比べて雷発生などの非常時における運転員の負担を軽減することができる。
【００１１】
請求項２に記載の発明によれば、水位切替指令手段には、選択により水位切替条件判定手段に代えて手動操作部からの指令情報が入力可能であるので、雷発生などの非常時以外は、手動操作によって調整池ダムの水位を制御することができる。
【図面の簡単な説明】
【００１２】
【図１】本発明の実施の形態に係わる調整池ダム水位制御システムの概要を示すブロック図である。
【図２】図１の調整池ダム水位制御システムおよび調整池ダムの周辺の概要を示すブロック図である。
【図３】図１の調整池ダム水位制御システムの水位切替条件判定手段における制御処理手順を示すフローチャートである。
【図４】図１の調整池ダム水位制御システムにおける水位切替指令手段の構成を示すブロック図である。
【図５】図１の調整池ダム水位制御システムにおける発電機と取水ゲートの制御構成を示すブロック図である。
【図６】図１の調整池ダム水位制御システムにおける制御可能な水位範囲を示す特性図である。
【図７】図１の調整池ダム水位制御システムにおける条件入力手段に入力される気象条件および水理条件を示す特性図である。
【図８】図１の調整池ダム水位制御システムの手動操作部に格納されている通常水位運用時のプログラムテーブルである。
【図９】図１の調整池ダム水位制御システムの水位切替条件判定手段に格納されている中水位運用時のプログラムテーブルである。
【図１０】図１の調整池ダム水位制御システムの水位切替条件判定手段に格納されている低水位運用時のプログラムテーブルである。
【図１１】図１の調整池ダム水位制御システムの水位切替条件判定手段に格納されている作業水位運用時のプログラムテーブルである。
【図１２】図１の調整池ダム水位制御システムにおける通常水位運用時の水位の変動を示す特性図である。
【図１３】図１の調整池ダム水位制御システムにおける中水位運用時の水位の変動を示す特性図である。
【図１４】図１の調整池ダム水位制御システムにおける低水位運用時の水位の変動を示す特性図である。
【発明を実施するための形態】
【００１３】
つぎに、この発明の実施の形態について、図面を用いて詳しく説明する。
【００１４】
図１ないし図１４は、本発明の実施の形態を示している。図２に示すように、調整池ダム水位制御システム１は、調整池ダム５０の水位を自動制御するのに用いられる。調整池ダム５０の上流側には、上流ダム４０が設けられている。上流ダム４０と調整池ダム５０は、管路４５を介して接続されている。管路４５の途中には、上流ダム４０から放流される水Ｗ１によって駆動される第１の発電機４６が設けられている。第１の発電機４６は、水Ｗ１の流量を調整する流量調整機能を有しており、第１の発電機４６側から調整池ダム５０に流入する水Ｗ１の量が調整可能となっている。また、調整池ダム５０には、支川Ａからの水Ｗ２が流入するようになっている。第１の発電機４６の制御は、調整池ダム水位制御システム１からの指令に基づき、発電機制御装置４７を介して行われる。
【００１５】
調整池ダム５０には、調整池ダム５０に貯留された水を下流側に放流するための管路５５が接続されている。管路５５には、取水ゲート５１が設けられており、調整池ダム５０から放流される水Ｗ３の水量（放流量）が調整可能となっている。管路５５における取水ゲート５１の下流側には、第２の発電機５６が設けられている。取水ゲート５１の制御は、調整池ダム水位制御システム１からの指令に基づき、取水ゲート自動制御装置５２を介して行われる。調整池ダム５０の水位は、ダム水位センサ５４によって常時計測されている。ダム水位センサ５４からの水位計測信号は、発電機制御装置４７および取水ゲート自動制御装置５２に入力されている。
【００１６】
図１に示すように、調整池ダム水位制御システム１は、条件入力手段１０、水位切替条件判定手段２０、手動操作部２１、切替スイッチ２２、水位切替指令手段３０を有している。条件入力手段１０には、調整池ダム５０の上流側の気象条件および水理条件が入力されるようになっている。気象条件としては、例えば気象庁からの雨量警報（警報・注意報）があり、水理条件としては、支川Ａの川残留流量、上流ダム４０における雨量、調整池ダム５０への水の流入量がある。
【００１７】
図３に示すように、上流ダム４０における雨量は、上流雨量計４１によって計測され、この雨量計測データはテレメータ４３を介して条件入力手段１０に入力される。また、支川Ａの水位は、水位計４２によって計測され、この水位計測データはテレメータ４３を介して条件入力手段１０に入力される。ここで、支川Ａの水位を水位計４２によって計測するのは、支川Ａの水位から調整池ダム５０に流入する水Ｗ２を算出するためである。また、気象庁からの雨量警報は、通信ネットワーク４４を介して取得することが可能であり、取得された気象情報は条件入力手段１０に入力されるようになっている。
【００１８】
この実施の形態においては、図５に示す条件入力手段１０に入力される調整池ダム５０の上流側の気象条件および水理条件は、ディスプレイ（図示略）などを介して表示されるようになっており、運転員は目視によって条件入力手段１０に入力される気象条件および水理条件を確認することができる。これにより、調整池ダム５０の水位は、条件入力手段１０および水位切替条件判定手段２０を利用した自動制御だけでなく、ディスプレイに表示される気象条件および水理条件に基づく運転員による手動操作部２１の手動操作によっても制御可能となっている。
【００１９】
条件入力手段１０に入力された調整池ダム５０の上流側の気象条件および水理条件は、水位切替条件判定手段２０に出力されるようになっている。水位切替条件判定手段２０は、条件入力手段１０に入力された条件に基づき調整池ダム５０における予め設定された複数の水位制御範囲のうち特定の水位制御範囲を選択する機能を有している。図９ないし図１１に示すように、水位切替条件判定手段２０には、水位運用のためのプログラムテーブル（マトリックス）Ｍ１〜Ｍ３が記憶されている。
【００２０】
この実施の形態においては、調整池ダム５０の水位の自動制御については、中水位運用、低水位運用、作業水位運用の３種類があり、このうち作業水位運用はオプションであり、調整池ダム５０について特殊な水位設定をする場合のみに適用される。また、中水位運用、低水位運用、作業水位運用は、条件入力手段１０および水位切替条件判定手段２０を利用した自動制御によって行われ、通常水位運用のみが図８のプログラムテーブルＭ０に基づく手動操作部２１を利用した手動操作によって行われる。水位切替条件判定手段２０は、調整池ダム５０の上流側の気象条件および水理条件が条件入力手段１０される毎に、各プログラムテーブル（マトリックス）Ｍ１〜Ｍ３のうちのいずれかを選択し、調整池ダム５０の水位を入力条件に応じてリアルタイムに自動制御するようになっている。
【００２１】
図１に示すように、水位切替条件判定手段２０と水位切替指令手段３０との間には、切替スイッチ２２が設けられている。切替スイッチ２２は、自動運転と手動運転とを切替える機能を有している。切替スイッチ２２は、自動運転時には、水位切替指令手段３０を水位切替条件判定手段２０側に接続し、手動操作部２１を切り離すようになっている。また、切替スイッチ２２は、手動運転時には、水位切替指令手段３０を手動操作部２１側に接続し、水位切替条件判定手段２０を切り離すようになっている。手動操作部２１には、図８に示すプログラムテーブル（マトリックス）Ｍ０が記憶されている。
【００２２】
水位切替指令手段３０は、水位切替条件判定手段２０によって選択された特定の水位制御範囲に基づき、調整池ダム５０における特定の水位制御範囲となるように第１の発電機４６側から調整池ダム５０に流入する水の量Ｗ１と取水ゲート５１を介して下流側に放流する水Ｗ３の量を制御する機能を有している。また、手動操作時には、水位切替指令手段３０は、手動操作部２１からの指令情報に基づき、第１の発電機４６側から調整池ダム５０に流入する水の量Ｗ１と取水ゲート５１を介して下流側に放流する水Ｗ３の量を制御する機能を有している。水位切替指令手段３０は、図４に示すように、論理回路３０ａを有しており、水位切替条件判定手段２０からの判定結果に基づき第１の遠隔制御装置３１および第２の遠隔制御装置３２に水位切替のための指令信号を出力するようになっている。
【００２３】
図３に示すように、水位切替指令手段３０には、第１の遠隔制御装置３１および第３の遠隔制御装置４８を介して発電機制御装置４７が接続されており、第１の発電機４６は水位切替指令手段３０からの指令によって制御されるようになっている。同様に、水位切替指令手段３０には、第２の遠隔制御装置３２および第４の遠隔制御装置５３を介して取水ゲート自動制御装置５２が接続されており、取水ゲート５１は水位切替指令手段３０からの指令によって制御されるようになっている。
【００２４】
図５は、調整池ダム水位制御システム１における第１の発電機４６および取水ゲート５１の制御構成を示している。発電機制御装置４７は、第３の遠隔制御装置４８からの指令信号Ｋ１〜Ｋ３を受信し、この受信した指令信号Ｋ１〜Ｋ３によって水位設定値を記憶し、発電機制御盤を介して第１の発電機４６の制御を行うようになっている。ここで、指令信号Ｋ１は設定水位指令信号であり、指令信号Ｋ２は中水位指令信号であり、指令信号Ｋ３は低水位指令信号である。指令信号Ｋ４は、指令信号Ｋ１〜Ｋ３に該当しない場合の信号を示している。
【００２５】
図５に示すように、取水ゲート自動制御装置５２は、第４の遠隔制御装置５３からの指令信号Ｅ１〜Ｅ３を受信し、この受信した指令信号Ｅ１〜Ｅ３によって水位設定値を記憶し、ゲート制御盤を介して取水ゲート５１の制御を行うようになっている。ここで、指令信号Ｅ１は設定水位指令信号であり、指令信号Ｅ２は中水位指令信号であり、指令信号Ｅ３は低水位指令信号である。指令信号Ｅ４は、指令信号Ｅ１〜Ｅ３に該当しない場合の信号を示している。
【００２６】
図６は、調整池ダム５０の水位の制御範囲を示している。ここで、手動で行われる通常水位運用における水位制御は、水位Ｌ１と水位Ｌ６との間の範囲内で行われる。自動で行われる低水位運用における水位の制御は、水位Ｌ３と水位Ｌ４との間の範囲で行われ、中水位運用における水位制御は、水位Ｌ２と水位Ｌ５との間の範囲で行われる。図４に示すように、調整池ダム５０の水位が上限値を逸脱した場合は、管路４５を流れる水Ｗ１の流量を制限して第１の発電機４６の出力を抑制または停止させ、取水ゲート５１を開とする必要がある。また、調整池ダム５０の水位が下限値を逸脱した場合は、管路４５を流れる水Ｗ１の流量を増加させるとともに、第１の発電機４６の出力を増加させ、取水ゲート５１を閉とする必要がある。作業水位運用における水位の制御範囲は、その作業の種類毎にその都度設定される。
【００２７】
図７は、現在の水利データ（テレメータ・オンラインデータ）を示している。図７に示すように、調整池ダム５０の水位は、最低水位が０ｍに設定されており、最高水位が６．００ｍに設定されている。条件入力手段１０に入力される条件としては、調整池ダム流入量Ｑｉ、上流雨量累計雨量Ｒ１、上流雨量時間雨量Ｒ２、支流流量Ｑｓ、雨量警報Ａがある。調整池ダム５０の水位は、図７の入力条件に基づき設定されており、各設定水位は発電機制御装置４７と取水制御装置５２の双方に記憶されている。
【００２８】
つぎに、調整池ダム水位制御システム１における制御手順および作用について説明する。
【００２９】
まず、調整池ダム５０における通常水位運用について説明する。通常水位運用においては、図１に示す切替スイッチ２２が手動操作部２１側に切替えられ、調整池ダム５０の水位制御は運転員を介して手動で行われる。したがって、通常水位運用においては、条件入力手段１０および水位切替条件判定手段２０を利用した制御は行われない。すなわち、通常水位運用は、雷発生などによる調整池ダム５０の異常な水位の変動はないとの前提で適用され、通常は夜間に第１の発電機４６の運転によって流入する水Ｗ１を調整池ダム５０に水を溜め、昼間に調整池ダム５０から水Ｗ２を放流し、第２の発電機によって５６発電を行うようにしている。
【００３０】
図１２は、通常水位運用における水位の変動を示しており、通常水位運用では、通常は深夜に調整池ダム５０に水を蓄え、昼間に調整池ダム５０からの水を発電に利用するように運転を行う。通常水位運用では調整池ダム５０の水位は、ほぼ最低水位ＬＷＬ（ＬＷＬ＝０ｍ）近傍および最高水位ＨＷＬ（ＨＷＬ＝６．００ｍ）近傍まで変動する。通常水位運用では、上限水位が５．８０ｍに設定されるとともに、下限水位が０．５０ｍに設定され、この範囲内での水位制御が行われる。
【００３１】
雷発生による非常時には、図１に示す切替スイッチ２２が水位切替条件判定手段２０側に切替えられ、調整池ダム５０の水位制御は運転員を介すことなく自動で行われる。
【００３２】
図３は、自動による調整池ダム５０の水位制御手順を示している。図３のフローチャートに示すように、ステップＳ１では、条件入力手段１０に入力された調整池ダム５０の上流側の気象条件および水理条件に基づき、低水位運用に該当するか否かが判断される。ステップＳ１で低水位運用に該当すると判断された場合は、その旨の信号が水位切替指令手段３０に出力される。そして、水位切替指令手段３０は、第１の遠隔制御装置３１および第３の遠隔制御装置４８を介して発電機制御装置４７に低水位運用に応じた指令信号を出力するとともに、第２の遠隔制御装置４８を介して取水ゲート自動制御装置５２に低水位運用に応じた指令信号を出力する。これにより、第１の発電機４６側から調整池ダム５０に流入する水Ｗ１は低水位運用に応じた量に制御され、取水ゲート５１を介して下流側に放流される水Ｗ３の量も低水位運用に応じた量に制御される。
【００３３】
図１４は、調整池ダム５０からの出水が多い低水位運用での水位の変動を示している。調整池ダム５０からの出水が多いと予想される場合は、上流等からの水の流入も多く、急激な水の流入に対応して水位設定の上限を低めにし、下限を高めにすることにより、極力調整池ダム５０からの放流にならないよう、できるだけ増水分を確保するような制御処理を行う。ここで、上流等からの水の流入とは、上流ダム４０からの水の流入だけでなく、支川からの残流入も含まれる。図１４に示すように、低水位運用における調整池ダム５０の水位は、通常水位運用に比べて水位制御範囲が狭くなるとともに、水位の変動の周期が著しく短くなる。低水位運用では、上限水位が例えば３．００ｍに設定されるとともに、下限水位が２．００ｍに設定され、この範囲内での水位制御が行われる。
【００３４】
図３のステップＳ１において、低水位運用に該当しないと判断された場合は、ステップＳ２に進み、中水位運用に該当するか否かが判断される。ステップＳ２で中水位運用に該当すると判断された場合は、その旨の信号が水位切替指令手段３０に出力される。そして、水位切替指令手段３０は、第１の遠隔制御装置３１および第３の遠隔制御装置４８を介して発電機制御装置４７に中水位運用に応じた指令信号を出力するとともに、第２の遠隔制御装置３２および第４の遠隔制御装置４８を介して取水ゲート自動制御装置５２に中水位運用に応じた指令信号を出力する。これにより、第１の発電機４６側から調整池ダム５０に流入する水Ｗ１は中水位運用に応じた量に制御され、取水ゲート５１を介して下流側に放流される水Ｗ３の量も中水位運用に応じた量に制御される。
【００３５】
図１３は、調整池ダム５０からの出水が少ない中水位運用での水位の変動を示している。調整池ダム５０からの出水が少ないと予想される場合は、上流等からの水の流入もあまり増加していないと考えられ、上限の制限水位を若干低めで運用する。ここで、上流等からの水の流入とは、上述と同様に上流ダム４０からの水の流入だけでなく、支川からの残流入も含まれる。中水位運用における調整池ダム５０の水位は、通常水位運用に比べて水位制御範囲が狭くなるとともに、水位の変動の周期も短くなる。中水位運用では、上限水位が例えば４．００ｍに設定されるとともに、下限水位が１．５０ｍに設定され、この範囲内での水位制御が行われる。
【００３６】
図３のステップＳ２において、中水位運用に該当しないと判断された場合は、再びステップＳ１に戻り、上述の制御が繰り返される。図３に示すように、ステップＳ３は、作業水位運用に該当すると判断された場合に適用されるものである。作業水位運用は、オプションとして特殊な水位設定をする場合のみに適用され、図９の中水位運用および図１０の低水位運用よりも優先度が高く設定される。
【００３７】
図３に示すように、ステップＳ３では、例えば手動操作部２１に設けられた作業設定スイッチから指令信号が水位切替指令手段３０に出力される。そして、水位切替指令手段３０は、第１の遠隔制御装置３１および第３の遠隔制御装置４８を介して発電機制御装置４７に作業水位運用に応じた指令信号を出力するとともに、第２の遠隔制御装置３２および第４の遠隔制御装置４８を介して取水ゲート自動制御装置５２に作業水位運用に応じた指令信号を出力する。これにより、第１の発電機４６側から調整池ダム５０に流入する水Ｗ１は作業水位運用に応じた量に制御され、取水ゲート５１を介して下流側に放流される水Ｗ３の量も作業水位運用に応じた量に制御される。
【００３８】
作業水位運用においては、図１１に示すように、上流雨量累計雨量Ｒ１、上流雨量時間雨量Ｒ２、支流流量Ｑｓがその都度設定される。また、作業水位運用のプログラムテーブルＭ３においては、水位を所定値まで復帰させるための復帰バンド（水位制御幅）として０．２０ｍが設けられている。
【００３９】
このように、条件入力手段１０に入力された気象条件および水理条件に基づき、調整池ダム５０における予め設定された複数の水位制御範囲のうち特定の水位制御範囲を選択するので、調整池ダム５０の水位を入力条件に応じて適正に制御することができる。これにより、調整池ダム５０に貯留されている水の調整池ダム５０からの越流を防止することができ、越流による溢水電力（電力ロス）を防止することができる。また、越流に伴う調整池ダム５０からの誤放流を防止することができ、調整池ダム５０の下流側への予期しない放流を回避することができる。さらに、調整池ダム５０の水位制御は自動で行われるので、従来に比べて雷発生などの非常時における運転員の負担を軽減することができる。
【００４０】
また、水位切替指令手段３０には、選択により水位切替条件判定手段２０に代えて手動操作部２１からの指令情報が入力可能であるので、雷発生などの非常時以外は、手動操作部２１を用いた手動操作によって調整池ダム５０の水位を制御することができる。
【００４１】
以上、この発明の実施の形態を詳述してきたが、具体的な構成は上記の実施の形態に限られるものではなく、この発明の要旨を逸脱しない範囲の設計の変更等があっても、この発明に含まれる。例えば、実施の形態では、調整池ダム水位制御システム１は、一つの調整池ダム５０の水位を制御対象としているが、複数の調整池ダムの水位を制御対象とする構成とすることも可能である。また、水位切替条件判定手段２０における判定手順については、水位制御範囲が狭く水位変動の周期が著しい低水位運用を「判定優先度１」とし、つぎに中水位運用の「判定優先度２」とした構成としているが、この手順に限定されることはなく、中水位運用について優先して判定する構成としてもよい。
【符号の説明】
【００４２】
１                調整池ダム水位制御システム
１０              条件入力手段
２０              水位切替条件判定手段
２１              手動操作部
２２              切替スイッチ
３０              水位切替指令手段
４６              第１の発電機（発電機）
４７              発電機制御装置
５０              調整池ダム
５１              取水ゲート
５２              取水ゲート自動制御装置
５４              ダム水位センサ
【図１】
2012082646.tif 000003
【図２】
2012082646.tif 000004
【図３】
2012082646.tif 000005
【図４】
2012082646.tif 000006
【図５】
2012082646.tif 000007
【図６】
2012082646.tif 000008
【図７】
2012082646.tif 000009
【図８】
2012082646.tif 000010
【図９】
2012082646.tif 000011
【図１０】
2012082646.tif 000012
【図１１】
2012082646.tif 000013
【図１２】
2012082646.tif 000014
【図１３】
2012082646.tif 000015
【図１４】
2012082646.tif 000016